(57)【要約】【課題】  より合理的に構成された振り子装置を得ること。【解決手段】  振り子１００と、支持体２００と、振り子駆動手段３００とを備えた振り子装置において、振り子は、支持体に支持される第１振り子部材１１０と、第１振り子部材の下部に連結される第２振り子部材１２０とを備え、第１振り子部材及び第２振り子部材の一方にはフック部１２２を設けるとともに、それらの他方にはフック部を係止する係止部１１４を設け、更に、第１振り子部材には第２振り子部材を挟む一対の突片１１５を設け、一対の突片は、第２振り子部材を振り子の揺動方向に挟むものとし、第２振り子部材は、一対の突片の間に圧入するものとし、一対の突片が弾性変形して第２振り子部材に圧接することにより、第１振り子部材に対する第２振り子部材の位置が振り子の揺動方向に移動しないようにした。【選択図】図１
2008064511.tif 000002
【特許請求の範囲】
【請求項１】
振り子と、前記振り子を揺動可能に支持した支持体と、前記振り子を揺動する振り子駆動手段とを備えた振り子装置において、
前記振り子は、前記支持体に支持される第１振り子部材と、前記第１振り子部材の下部に連結される第２振り子部材とを備え、
前記第１振り子部材及び前記第２振り子部材の一方にはフック部を設けるとともに、それらの他方には前記フック部を係止する係止部を設け、
更に、前記第１振り子部材には前記第２振り子部材を挟む一対の突片を設け、
前記一対の突片は、前記第２振り子部材を前記振り子の揺動方向に挟むものとし、
前記第２振り子部材は、前記一対の突片の間に圧入するものとし、
前記一対の突片が弾性変形して前記第２振り子部材に圧接することにより、前記第１振り子部材に対する前記第２振り子部材の位置が前記振り子の揺動方向に移動しないようにしたことを特徴とする振り子装置。
【請求項２】
前記第２振り子部材の質量をｍとし、前記フック部と前記係止部との当接部から前記第２振り子部材の重心までの距離をｒとし、前記第２振り子に対する前記突片の荷重によるモーメントをＭとするとき、これらは、ｍｒ＜Ｍ
の関係にあることを特徴とする請求項１記載の振り子装置。
【発明の詳細な説明】
【技術分野】
【０００１】
本発明は、時計の装飾等に利用される振り子装置に関する。
【背景技術】
【０００２】
壁掛け時計や置き時計としては、装飾用の振り子装置を備えたものが知られている。振り子装置は、磁石を設けた振り子を支持体に支持するとともに、磁石に作用する振り子駆動手段を振り子の外部に配置して構成されている。この種の振り子装置は、特許文献１にも開示されている。特許文献１に開示された振り子装置は、複数の部材を組付けてなる振り子を用いてなるものであり、組付け部材の上下位置を反転させることにより、周期の設定の自由度を高めることができるものとなっている。
【特許文献１】特開２００５−１４０５４３号公報
【発明の開示】
【発明が解決しようとする課題】
【０００３】
さて近年、時計のデザインはますます多様化される傾向にあり、前述した振り子装置についても、装飾性に優れるとともに、より安定した駆動を得られるものが望まれている。この点、前述したように複数の部材を組付けてなる振り子の場合は、各部材間の微妙なガタツキが振り子の揺動に乱れをもたらす原因となることがある。例えば、駆動中に何らかの衝撃により位置ずれを生じると、それが原因で駆動が停止してしまう可能性もある。特に、振り子の揺動周期は、振り子の支点と重心との距離によって異なるが、このような不都合は、揺動周期が比較的長いもの（ゆっくり揺れるもの）において顕著となる。本発明は、かかる事情に鑑みてなされたものであり、その目的は、より合理的に構成された振り子装置を提供することである。
【課題を解決するための手段】
【０００４】
本願第１請求項に記載した発明は、振り子と、前記振り子を揺動可能に支持した支持体と、前記振り子を揺動する振り子駆動手段とを備えた振り子装置において、前記振り子は、前記支持体に支持される第１振り子部材と、前記第１振り子部材の下部に連結される第２振り子部材とを備え、前記第１振り子部材及び前記第２振り子部材の一方にはフック部を設けるとともに、それらの他方には前記フック部を係止する係止部を設け、更に、前記第１振り子部材には前記第２振り子部材を挟む一対の突片を設け、前記一対の突片は、前記第２振り子部材を前記振り子の揺動方向に挟むものとし、前記第２振り子部材は、前記一対の突片の間に圧入するものとし、前記一対の突片が弾性変形して前記第２振り子部材に圧接することにより、前記第１振り子部材に対する前記第２振り子部材の位置が前記振り子の揺動方向に移動しないようにした構成の振り子装置である。
【０００５】
本願第２請求項に記載した発明は、請求項１において、前記第２振り子部材の質量をｍとし、前記フック部と前記係止部との当接部から前記第２振り子部材の重心までの距離をｒとし、前記第２振り子に対する前記突片の荷重によるモーメントをＭとするとき、これらは、ｍｒ＜Ｍ
の関係にある構成の振り子装置である。
【発明の効果】
【０００６】
本発明によれば、より合理的に構成された振り子装置を得ることができる。
【発明を実施するための最良の形態】
【０００７】
以下に、本発明の実施例を図面に基づいて詳細に説明する。図１乃至図５に示す振り子装置１は、時計の筐体内部に組み込まれ、その時計を装飾するものである。この振り子装置１は、振り子１００と、振り子１００を揺動可能に支持したプレート状の支持体２００と、振り子を揺動する振り子駆動手段３００とを備えている。時計の筐体に対しては、支持体２００を装着するする構成となっている。また、支持体２００には、時計の指針を駆動するムーブメント４００が設けられている。
【０００８】
振り子１００は、支持体に設けられたナイフエッジ状の軸部２１０に支持されて、この軸部２１０を中心に揺動する。振り子駆動手段３００は、磁気的作用にて振り子１００を揺動するものであり、支持体２００の要所に設けられている。具体的には、振り子１００に設けられた磁石１１１がその近傍を通過する際に検出コイルに誘起電圧を発生し、検出コイルに誘起電圧が発生すると駆動コイルに電流が流れ、駆動コイルが磁石１１１を反発することにより振り子１００を加勢する構成となっている。
【０００９】
この振り子１００は、支持体２００に支持される第１振り子部材１１０と、第１振り子部材１１０の下部に連結される第２振り子部材１２０とを組付けてなるものである。第１振り子部材１１０及び第２振り子部材１２０は、金型成形された合成樹脂製の部材からなるものである。第１振り子部材１１０には、前述した磁石１１１と、軸部２１０を挿通する孔部１１２と、所定の重量の重り１１３が設けられている。第２振り子部材１２０には、振り玉１２１が設けられている。
【００１０】
次に、第１振り子部材１１０と第２振り子部材１２０とを連結する機構について説明する。本例の場合、第１振り子部材１１０及び第２振り子部材１２０の一方にはフック部１２２を設けるとともに、それらの他方にはフック部１２２を係止する係止部１１４を設けている。図例の振り子１００は、フック部１２２を第２振り子部材１２０の上部に設け、係止部１１４を第１振り子部材１１０の下部に設けたものである。係止部１１４には、フック部１２２の幅に対応する径を上から下に向って減少するテーパーが設けられており、フック部１２２は、テーパーに導かれて所定の位置に係止される構成となっている。尚、フック部１２２を第１振り子部材１１０の下部に設け、係止部１１４を第２振り子部材１２０の上部に設けることも可能である。第２振り子部材１２０は、フック部１２２を係止部１１４に係止することにより、第１振り子部材１１０に吊り下げられた状態となる。
【００１１】
更に本例の場合、第１振り子部材１１０には、第２振り子部材１２０を挟む一対の突片１１５が設けられている。一対の突片１１５は、第２振り子部材１２０の上部近傍を振り子１００の揺動方向に挟むものとなっている。第２振り子部材１２０は、フック部１２２を係止部１１４に係止するとともに、一対の突片１１５の間に圧入するものとなっている。かかる一対の突片１１５は、第１振り子部材１１０の金型成形において一体成形された部位であり、弾性変形して第２振り子部材に圧接する。
【００１２】
このように、一対の突片１１５が弾性変形して第２振り子部材１２０に圧接するので、第１振り子部材１１０に対する第２振り子部材１２０の位置が振り子１００の揺動方向に移動することはない。従って、振り子１００の揺動が確実に安定化するという顕著な効果を達成することができる。
【００１３】
また、本例においては、第２振り子部材１２０の質量をｍとし、フック部１２２と係止部１１４との当接部から第２振り子部材１２０の重心までの距離をｒとし、第２振り子に対する突片１１５の荷重によるモーメントをＭとするとき、これらは、ｍｒ＜Ｍ
の関係が成り立つように設定している。ｍｒは、すなわち第１振り子部材１１０に対する第２振り子部材１２０のモーメントである。第２振り子部材１２０がグラグラと動かないように固定するには、突片１１５の荷重によるモーメントＭが第２振り子部材１２０のモーメントよりも大きいことが望ましく、ｍｒ＜Ｍ
の関係によれば、第１振り子部材１１０に対し第２振り子部材１２０が堅固に固定され、振り子１００の揺動が一層安定化する訳である。
【００１４】
以上説明したように、本例の振り子装置は、振り子の揺動が確実に安定化するという顕著な効果を達成してなるものであり、時計を装飾するものとして好適に利用することができる。また、本例における各部の構成は、特許請求の範囲に記載した技術的範囲において適宜に設計変更が可能であり、図例したものに限定されないことは勿論である。
【産業上の利用可能性】
【００１５】
本発明の振り子装置は、置き時計や壁掛け時計を装飾するものとして好適に利用することができる。
【図面の簡単な説明】
【００１６】
【図１】本発明の実施例に係り、振り子装置を示す透視正面図である。
【図２】本発明の実施例に係り、振り子装置を示す透視側面図である。
【図３】本発明の実施例に係り、振り子を示す透視正面図である。
【図４】本発明の実施例に係り、振り子を示す透視側面図である。
【図５】本発明の実施例に係り、（ａ）は振り子の要部を示す透視正面図であり、（ｂ）は振り子の要部を示す透視側面図である。
【符号の説明】
【００１７】
１    振り子装置
１００    振り子
１１０    第１振り子部材
１１１    磁石
１１２    孔部
１１３    重り
１１４    係止部
１１５    突片
１２０    第２振り子部材
１２１    振り玉
１２２    フック部
２００    支持体
２１０    軸部
３００    振り子駆動手段
４００    ムーブメント
【図１】
2008064511.tif 000003
【図２】
2008064511.tif 000004
【図３】
2008064511.tif 000005
【図４】
2008064511.tif 000006
【図５】
2008064511.tif 000007